(57)【特許請求の範囲】
【請求項１】
炊飯器本体内に着脱自在に収納される鍋と、前記鍋を加熱する加熱手段と、前記加熱手段に電力を供給する制御手段と、前記制御手段に少なくとも炊飯コースの選択を指示する選択手段と、選択された炊飯コースの開始指示および短時間で炊飯する炊飯コースの開始指示を行う操作手段と、選択されている炊飯コースや短時間で炊飯する炊飯コースが開始可能かどうかを表示する表示手段とを備え、前記制御手段は、特定の炊飯コースが選択されている状態では、短時間で炊飯する炊飯コースは開始不可であることを表示するように表示手段を制御すると共に、短時間で炊飯する炊飯コースの開始指示の入力を禁止するようにした炊飯器。
【請求項２】
報知動作をする報知手段を備え、制御手段は、特定の炊飯コースが選択されているとき、短時間で炊飯する炊飯コースの開始指示を入力した場合に、短時間で炊飯する炊飯コースは開始不可であることを前記報知手段により報知するようにした請求項１に記載の炊飯器。
【請求項３】
制御手段は、操作手段から特定の操作信号が入力されると、特定の炊飯コースが選択されている場合であっても、短時間で炊飯を行う炊飯コースを開始するようにした請求項１または２記載の炊飯器。
【請求項４】
制御手段は、操作手段から特定の操作信号が入力されると、特定の炊飯コースが選択されている場合であっても、短時間で炊飯を行う炊飯コースの開始指示の入力を許可するようにした請求項１または２記載の炊飯器。
【発明の詳細な説明】
【０００１】
【発明の属する技術分野】
本発明は、選択された炊飯コースで炊飯可能な炊飯器に関するものである。
【０００２】
【従来の技術】
近年、消費者の嗜好が多様化してきている中、炊飯の高速化に対するニーズが高まっており、短時間で炊飯することができる炊飯コースを直接選択することができる操作手段を備えた炊飯器が普及してきている。
【０００３】
【発明が解決しようとする課題】
しかしながら、このような従来の炊飯器では、特定の炊飯する場合にしか短時間で炊飯する炊飯コースは適さないにもかかわらず、特定外の炊飯コースが選択されている場合であっても、この短時間で炊飯する炊飯コースを実行することができる。このため、使用者が誤って、おかゆのように水分を多く必要とするようなメニュー等に対して、この短時間で炊飯する炊飯コースを行い、うまく炊飯することができないという問題があった。
【０００４】
本発明は上記従来の課題を解決するもので、誤炊飯を防止して、常にメニューに合った最適な炊飯ができるようにすることを目的としている。
【０００５】
【課題を解決するための手段】
本発明は上記目的を達成するために、炊飯器本体内に着脱自在に収納される鍋を加熱手段により加熱し、制御手段により加熱手段に電力を供給し、選択手段により制御手段に少なくとも炊飯コースの選択を指示し、表示手段により選択されている炊飯コースや短時間で炊飯する炊飯コースが開始可能かどうかを表示し、選択された炊飯コースの開始指示および短時間で炊飯する炊飯コースの開始指示を操作手段により行うよう構成し、制御手段は、特定の炊飯コースが選択されている状態では、短時間で炊飯する炊飯コースは開始不可であることを表示するように表示手段を制御すると共に、短時間で炊飯する炊飯コースの開始指示の入力を禁止するようにしたものである。
【０００６】
これにより、誤炊飯を防止することができて、常にメニューに合った最適な炊飯をすることができる。
【０００７】
【発明の実施の形態】
本発明の請求項１に記載の発明は、炊飯器本体内に着脱自在に収納される鍋と、前記鍋を加熱する加熱手段と、前記加熱手段に電力を供給する制御手段と、前記制御手段に少なくとも炊飯コースの選択を指示する選択手段と、選択された炊飯コースの開始指示および短時間で炊飯する炊飯コースの開始指示を行う操作手段と、選択されている炊飯コースや短時間で炊飯する炊飯コースが開始可能かどうかを表示する表示手段とを備え、前記制御手段は、特定の炊飯コースが選択されている状態では、短時間で炊飯する炊飯コースは開始不可であることを表示するように表示手段を制御すると共に、短時間で炊飯する炊飯コースの開始指示の入力を禁止するようにしたものであり、特定の炊飯コースを選択しているときには、短時間で炊飯する炊飯コースが開始不可であることを知らせることにより、短時間で炊飯する炊飯コースが開始できなくても故障したと誤判断するのを防止することができると共に、短時間で炊飯する炊飯コースに適さない調理物に対して、短時間で炊飯する炊飯コースで炊飯できないようにすることができ、誤炊飯を防止することができて、常にメニューに合った最適な炊飯をすることができる。
【０００８】
請求項２に記載の発明は、上記請求項１に記載の発明において、報知動作をする報知手段を備え、制御手段は、特定の炊飯コースが選択されているとき、短時間で炊飯する炊飯コースの開始指示を入力した場合に、短時間で炊飯する炊飯コースは開始不可であることを前記報知手段により報知するようにしたものであり、特定の炊飯コースが選択されているときには、短時間で炊飯する炊飯コースを行うことができないことを知らせることができる。
【０００９】
請求項３に記載の発明は、上記請求項１または２に記載の発明において、制御手段は、操作手段から特定の操作信号が入力されると、特定の炊飯コースが選択されている場合であっても、短時間で炊飯する炊飯コースを開始するようにしたものであり、特定の炊飯コースを選択していても、炊飯コースを変更することなく、使用者がそのことを意識した上で、短時間で炊飯する炊飯コースで炊飯することができる。また、特定の炊飯コースを選択しているときに、選択手段が正常に動作しなくなっても、短時間で炊飯する炊飯コースで炊飯することができる。
【００１０】
請求項４に記載の発明は、上記請求項１または２に記載の発明において、制御手段は、操作手段から特定の操作信号が入力されると、特定の炊飯コースが選択されている場合であっても、短時間で炊飯を行う炊飯コースの開始指示の入力を許可するようにしたものであり、一度特定の操作信号を入力すると、次回からは、特定の炊飯コースを選択していても、使用者はそのことを意識した上で、通常の短時間で炊飯する炊飯コースの開始操作を行うことにより短時間で炊飯する炊飯コースで炊飯することができるようになり、使用者の使い勝手を向上することができる。また、特定の炊飯コースを選択しているときに、選択手段が正常に動作しなくなっても、短時間で炊飯する炊飯コースで炊飯することができる。
【００１１】
【実施例】
以下、本発明の実施例について、図面を参照しながら説明する。
【００１２】
（実施例１）
図１に示すように、鍋１は、炊飯器本体（図示せず）内に着脱自在に収納され、この鍋１を加熱手段２により加熱するようにしている。制御手段３は、加熱手段２に電力を供給して加熱出力を制御したり、炊飯器の状態を表示する表示手段６と炊飯器の異常等を報知する報知手段７とに信号を出力するものである。選択手段４は炊飯コースの選択を指示するもので、炊飯コースを選択する信号を制御手段３に出力し、操作手段５は炊飯を開始する信号を制御手段３に出力するようにしている。
【００１３】
表示手段６は、図２に示すように、現在時刻や選択されている炊飯コース、および短時間で炊飯する早炊きコースが開始可能かどうかを表示するＬＣＤ８を有し、選択手段４は、炊飯コースを選択するためのメニューキー１１を有し、操作手段５は、短時間で炊飯する早炊きコースを開始する早炊きキー９と、その他の炊飯コースを開始する炊飯キー１０などを配置している。
【００１４】
ここで、制御手段３は、特定の炊飯コース、たとえば、無洗米、おかゆコースが選択されている状態では、短時間で炊飯する炊飯コースの開始指示の入力を禁止するようにしている。
【００１５】
上記構成において動作を説明する。制御手段３は、選択手段４から特定の炊飯コース、たとえば、すし、無洗米、おかゆコースを選択しているという出力信号を入力しているときは、ＬＣＤ８に短時間で炊飯する炊飯コースは開始不可であることを表示する信号を出力するとともに、操作手段５に配置した短時間で炊飯する早炊きコースを開始する早炊きキー９から信号を入力しても、その信号を受け付けず、炊飯器の状態を変更しない。
【００１６】
このように本実施例によれば、特定の炊飯コースを選択しているときには、短時間で炊飯する早炊きコースを開始するの早炊きキー９を受け付けないため、短時間で炊飯する炊飯コースに適さない調理物で早炊き炊飯を行うとしても、炊飯を開始しないため、常にメニューに合った最適な炊飯をすることができ、誤炊飯を防止することができる。さらに、ＬＣＤ８の表示により、特定の炊飯コースを選択しているときに、早炊きキー９を受け付けなくても故障したと誤判断するのを防止することができる。
【００１７】
なお、本実施例では、表示手段６にＬＣＤ８を用いているが、これはＬＥＤでもよく、使用者に早炊き炊飯を開始することが可能かどうかを知らせることができる構成であればよい。
【００１８】
（実施例２）
図１に示す制御手段３は、特定の炊飯コースが選択されているとき、短時間で炊飯する炊飯コースの開始指示を入力した場合に、報知手段７により報知するようにしている。他の構成は上記実施例１と同じである。
【００１９】
上記構成において動作を説明する。制御手段３は、選択手段４から特定の炊飯コース、たとえば、すし、無洗米、おかゆコースを選択しているという出力信号を入力しているときは、操作手段５に配置した短時間で炊飯する早炊きコースを開始する早炊きキー９から信号を入力しても、その信号を受け付けず、報知手段７であるブザーに信号を出力して報知し、かつ炊飯器の状態を変更しない。
【００２０】
このように本実施例によれば、特定の炊飯コースを選択しているときには、短時間で炊飯する早炊きコースを開始する早炊きキー９を受け付けないため、早炊きコースに適さない調理物で早炊き炊飯を行おうとしても、炊飯を開始しない。つまり、誤炊飯を防止でき、かつ特定の炊飯コースを選択しているときには、早炊きキー９を受け付けないことを知らせることができる。
【００２１】
なお、本実施例では、報知手段にブザーを用いているが、これはＬＣＤやＬＥＤでもよく、使用者に早炊き炊飯を開始することができないということを知らせることができる構成であればよい。
【００２２】
（実施例３）
図１に示す制御手段３は、操作手段５から特定の操作信号が入力されると、特定の炊飯コースが選択されている場合であっても、短時間で炊飯する炊飯コースを開始するようにしている。他の構成は上記実施例１と同じである。
【００２３】
上記構成において動作を説明する。制御手段３は、選択手段４から特定の炊飯コース、たとえば、すし、無洗米、おかゆコースを選択しているという出力信号を入力しているときは、操作手段５に配置した短時間で炊飯する早炊きコースを開始する早炊きキー９から信号を入力しても、その信号を受け付けず、炊飯器の状態を変更しない。
【００２４】
ここで、制御手段３は、早炊きキー９から出力された信号を、たとえば、連続して３秒間に３回入力することにより、信号を受け付けて炊飯を開始する。
【００２５】
このように本実施例によれば、特定の炊飯コースを選択しているときには、短時間で炊飯する早炊きコースを開始するための早炊きキー９を１回押しただけでは、制御手段３は入力を受け付けないため、早炊きコースに適さない調理物で早炊き炊飯を行おうとしても、炊飯を開始しない。つまり、誤炊飯を防止できる。
【００２６】
ここで、特定の炊飯コースを選択していても、早炊きキー９を３回連続で押すことにより、炊飯コースを変更することなく、使用者がそのことを意識した上で、早炊きコースで炊飯することができる。また、特定の炊飯コースを選択しているときに、選択手段４に配置したメニューキー１１が故障してしまっても、早炊きキー９を３回連続で押すことにより、早炊きコースで炊飯を開始させることができる。
【００２７】
（実施例４）
図１に示す制御手段３は、操作手段５から特定の操作信号が入力されると、特定の炊飯コースが選択されている場合であっても、短時間で炊飯を行う炊飯コースの開始指示の入力を許可するようにしている。他の構成は上記実施例１と同じである。
【００２８】
上記構成において動作を説明する。制御手段３は、選択手段４から特定の炊飯コース、たとえば、すし、無洗米、おかゆコースを選択しているという出力信号を入力しているときは、操作手段５に配置した短時間で炊飯する早炊きコースを開始する早炊きキー９から信号を入力しても、その信号を受け付けず、炊飯器の状態を変更しない。
【００２９】
ここで、制御手段３は、早炊きキー９から出力された信号を、たとえば、連続して３秒間に３回入力することにより、次回からは早炊きキー９の信号を受け付けて炊飯開始が可能となるようにする。
【００３０】
このように本実施例によれば、特定の炊飯コースを選択しているときには、短時間で炊飯する早炊きコースを開始するための早炊きキー９を１回押しただけでは、制御手段３は入力を受け付けないため、早炊きコースに適さない調理物で早炊き炊飯を行おうとしても、炊飯を開始しない。つまり、誤炊飯を防止できる。
【００３１】
ここで、一度早炊きキー９を３回連続で押せば、次回からは特定の炊飯コースを選択していても、使用者はそのことを意識した上で、早炊きキー９を１回押すことにより早炊きコースで炊飯することができるようになる。
【００３２】
また、特定の炊飯コースを選択しているときに、選択手段４に配置したメニューキー１１が故障してしまっても、早炊きキー９を３回連続で押すことにより、早炊きコースで炊飯を開始させることができ、短時間で炊飯する炊飯コースで炊飯することができる。
【００３３】
【発明の効果】
以上のように本発明の請求項１に記載の発明によれば、炊飯器本体内に着脱自在に収納される鍋と、前記鍋を加熱する加熱手段と、前記加熱手段に電力を供給する制御手段と、前記制御手段に少なくとも炊飯コースの選択を指示する選択手段と、選択された炊飯コースの開始指示および短時間で炊飯する炊飯コースの開始指示を行う操作手段と、選択されている炊飯コースや短時間で炊飯する炊飯コースが開始可能かどうかを表示する表示手段とを備え、前記制御手段は、特定の炊飯コースが選択されている状態では、短時間で炊飯する炊飯コースは開始不可であることを表示するように表示手段を制御すると共に、短時間で炊飯する炊飯コースの開始指示の入力を禁止するようにしたから、特定の炊飯コースを選択しているときには、短時間で炊飯する炊飯コースが開始不可であることを知らせることにより、短時間で炊飯する炊飯コースが開始できなくても故障したと誤判断するのを防止することができると共に、短時間で炊飯する炊飯コースに適さない調理物に対して、短時間で炊飯する炊飯コースで炊飯できないようにすることができ、誤炊飯を防止することができて、常にメニューに合った最適な炊飯をすることができる。
【００３４】
また、請求項２に記載の発明によれば、報知動作をする報知手段を備え、制御手段は、特定の炊飯コースが選択されているとき、短時間で炊飯する炊飯コースの開始指示を入力した場合に、短時間で炊飯する炊飯コースは開始不可であることを前記報知手段により報知するようにしたから、特定の炊飯コースが選択されているときには、短時間で炊飯する炊飯コースを行うことができないことを知らせることができる。
【００３５】
また、請求項３に記載の発明によれば、制御手段は、操作手段から特定の操作信号が入力されると、特定の炊飯コースが選択されている場合であっても、短時間で炊飯する炊飯コースを開始するようにしたから、特定の炊飯コースを選択していても、使用者がそのことを意識した上で、短時間で炊飯する炊飯コースで炊飯することができる。また、特定の炊飯コースを選択しているときに、選択手段が正常に動作しなくなっても、短時間で炊飯する炊飯コースで炊飯することができる。
【００３６】
また、請求項４に記載の発明によれば、制御手段は、操作手段から特定の操作信号が入力されると、特定の炊飯コースが選択されている場合であっても、短時間で炊飯を行う炊飯コースの開始指示の入力を許可するようにしたから、一度特定の操作信号を入力すると、次回からは、特定の炊飯コースを選択していても、使用者はそのことを意識した上で、通常の短時間で炊飯する炊飯コースの開始操作を行うことにより短時間で炊飯する炊飯コースで炊飯することができるようになり、使用者の使い勝手を向上することができる。また、特定の炊飯コースを選択しているときに、選択手段が正常に動作しなくなっても、短時間で炊飯する炊飯コースで炊飯することができる。
【図面の簡単な説明】
【図１】  本発明の第１実施例の炊飯器のブロック図
【図２】  同炊飯器の表示手段、選択手段および操作手段の正面図
【符号の説明】
１  鍋
２  加熱手段
３  制御手段
４  選択手段
５  操作手段
【図１】
0004019669.tif 000002
【図２】
0004019669.tif 000003